(57)【要約】【課題】カメラの電源寿命が短くなる不具合を防止するとともに、撮像における操作性が良いデジタルカメラを提供する【解決手段】被写体の画像を取得する撮像手段と、撮像手段が取得した画像を表示する表示手段と、電源とを備えるデジタルカメラであって、電源の消耗を少なくする省電力モードと、電源を通常に使用する通常電力モードと、電力モードのいずれか一方を選択するモード選択手段と、撮像後に表示手段に撮像手段への電源供給を停止させる直前の画像を表示させるとともに、省電力モードが選択された時には、該画像を表示させる期間が通常電力モードに該画像を表示させる期間より長くなるように制御する制御手段とを備えることを特徴とするデジタルカメラ。【選択図】図２
2007208886.tif 000002
【特許請求の範囲】
【請求項１】
被写体の画像を取得する撮像手段と、前記撮像手段が取得した画像を表示する表示手段と、電源とを備えるデジタルカメラであって、
前記電源の消耗を少なくする省電力モードと、
前記電源を通常に使用する通常電力モードと、
前記電力モードのいずれか一方を選択するモード選択手段と、
撮像後に、前記撮像手段への電源供給を停止させるとともに、前記表示手段に撮像後の確認画像を表示させる際、前記省電力モードが選択された時には、該画像を表示させる期間が前記通常電力モードに該画像を表示させる期間より長くなるように制御する制御手段とを備えることを特徴とするデジタルカメラ。
【請求項２】
被写体の画像を取得する撮像手段と、前記撮像手段が取得した画像を表示する表示手段と、電源と、フラッシュ手段への充電を行う充電手段とを備えるデジタルカメラであって、
前記フラッシュ手段が充電されている時には、前記撮像手段への電源供給を停止させるとともに、前記表示手段に撮像後の確認画像を表示させるように制御する制御手段を備えることを特徴とするデジタルカメラ。
【請求項３】
前記制御手段は、前記表示手段に撮像後の確認画像を表示させる期間が前記充電手段の充電期間より長くなるように制御することを特徴とする請求項２に記載のデジタルカメラ。
【請求項４】
前記制御手段は、前記電源がオンされた当初における前記充電手段の充電期間中には、前記表示手段に前記撮像手段が取得した画像を表示させるように制御することを特徴とする請求項２または３に記載のデジタルカメラ。
【請求項５】
被写体の画像を取得する撮像手段と、前記撮像手段が取得した画像を表示する表示手段と、電源と、フラッシュ手段への充電を行う充電手段とを備えるデジタルカメラであって、
前記電源の消耗を少なくする省電力モードと、
前記電源を通常に使用する通常電力モードと、
前記電力モードのいずれか一方を選択するモード選択手段と、
前記充電手段の充電期間中には、前記撮像手段への電源供給を停止させるとともに、前記表示手段に撮像後の確認画像を表示させる際、該画像を表示させる期間が前記通常電力モードに該画像を表示させる期間より長くなるように制御する制御手段を備えることを特徴とするデジタルカメラ。
【請求項６】
前記充電手段の充電期間を短縮する第１の充電モードと、
前記充電手段の充電による電源の消耗を少なくする第２の充電モードと、
前記充電モードを切り換える切換手段と、
前記省電力モードが選択された時には、前記第２の充電モードに切り換え、前記充電手段の充電期間中には、前記撮像手段への電源供給を停止させるとともに、前記表示手段に撮像後の確認画像を表示させるように制御する制御手段を備えることを特徴とする請求項５に記載のデジタルカメラ。
【発明の詳細な説明】
【技術分野】
【０００１】
本発明は、表示装置を備えるデジタルカメラに関するものである。
【背景技術】
【０００２】
近年、デジタルカメラでは、カメラの小型化に伴い電池や充電池が小型になり、電力容量が減少したため、撮像可能枚数が減少し、電池交換や充電の頻度が増えている。デジタルカメラの機能要素別にみた消費電力の内訳では、撮像素子の駆動とバックライトを含めて液晶表示装置の駆動及びフラッシュの充電に要する電力が大きい。
【０００３】
そこで、デジタルカメラの表示装置や撮像素子の駆動に要する消費電力を小さくするとともに、電力が減った時の機能動作における性能への悪影響を防止する技術が提案されている。
【０００４】
例えば、特許文献１には、フラッシュを充電する場合に液晶表示装置のバックライトを暗くしてフラッシュを充電させ、フラッシュ充電に必要な電力を確保して、電池の消耗時間を延ばすことが開示されている。
【０００５】
また、特許文献２には、ＧＰＳ（Ｇｌｏｂａｌ  Ｐｏｓｉｔｉｏｎｉｎｇ  Ｓｙｓｔｅｍ）装置を備えたカメラにおいて、ＧＰＳ装置から位置情報を取り込む際に撮像回路の動作を停止させて、測位精度への悪影響を防止するとともに電源電池の寿命が短くなる不具合を防止することが開示されている。
【特許文献１】特開平８−２４２３９８号公報
【特許文献２】特開平１０−２７１３７５号公報
【発明の開示】
【発明が解決しようとする課題】
【０００６】
ところが、特許文献１においては、電池寿命を延ばすことができるが、撮像している時に、使用者が液晶表示装置の撮像画像を確認するのに、バックライトが暗いため、液晶表示装置の撮像画像が観察しづらくなり、操作性が悪くなる。
【０００７】
また、特許文献２では、電源電池の寿命が短くなる不具合を防止することができるが、撮像回路への電源供給を停止させているために、使用者が撮像を行なうことできない期間が発生して、ＧＰＳ装置の動作が終わるまで何もしない状態が続き、操作性が悪くなる。
【０００８】
本発明はこのような問題点に鑑みてなされたもので、カメラの電源寿命が短くなる不具合を防止するとともに、撮像における操作性が良いデジタルカメラを提供することを目的とする。
【課題を解決するための手段】
【０００９】
上記の課題は次の構成により解決される。
【００１０】
１．  被写体の画像を取得する撮像手段と、前記撮像手段が取得した画像を表示する表示手段と、電源とを備えるデジタルカメラであって、
前記電源の消耗を少なくする省電力モードと、
前記電源を通常に使用する通常電力モードと、
前記電力モードのいずれか一方を選択するモード選択手段と、
撮像後に、前記撮像手段への電源供給を停止させるとともに、前記表示手段に撮像後の確認画像を表示させる際、前記省電力モードが選択された時には、該画像を表示させる期間が前記通常電力モードに該画像を表示させる期間より長くなるように制御する制御手段とを備えることを特徴とするデジタルカメラ。
【００１１】
２．  被写体の画像を取得する撮像手段と、前記撮像手段が取得した画像を表示する表示手段と、電源と、フラッシュ手段への充電を行う充電手段とを備えるデジタルカメラであって、
前記フラッシュ手段が充電されている時には、前記撮像手段への電源供給を停止させるとともに、前記表示手段に撮像後の確認画像を表示させるように制御する制御手段を備えることを特徴とするデジタルカメラ。
【００１２】
３．  前記制御手段は、前記表示手段に撮像後の確認画像を表示させる期間が前記充電手段の充電期間より長くなるように制御することを特徴とする２に記載のデジタルカメラ。
【００１３】
４．  前記制御手段は、前記電源がオンされた当初における前記充電手段の充電期間中には、前記表示手段に前記撮像手段が取得した画像を表示させるように制御することを特徴とする２または３に記載のデジタルカメラ。
【００１４】
５．  被写体の画像を取得する撮像手段と、前記撮像手段が取得した画像を表示する表示手段と、電源と、フラッシュ手段への充電を行う充電手段とを備えるデジタルカメラであって、
前記電源の消耗を少なくする省電力モードと、
前記電源を通常に使用する通常電力モードと、
前記電力モードのいずれか一方を選択するモード選択手段と、
前記充電手段の充電期間中には、前記撮像手段への電源供給を停止させるとともに、前記表示手段に撮像後の確認画像を表示させる際、該画像を表示させる期間が前記通常電力モードに該画像を表示させる期間より長くなるように制御する制御手段を備えることを特徴とするデジタルカメラ。
【００１５】
６．  前記充電手段の充電期間を短縮する第１の充電モードと、
前記充電手段の充電による電源の消耗を少なくする第２の充電モードと、
前記充電モードを切り換える切換手段と、
前記省電力モードが選択された時には、前記第２の充電モードに切り換え、前記充電手段の充電期間中には、前記撮像手段への電源供給を停止させるとともに、前記表示手段に撮像後の確認画像を表示させるように制御する制御手段を備えることを特徴とする５に記載のデジタルカメラ。
【発明の効果】
【００１６】
本発明によれば、電源の消耗を少なくする省電力モードと、電源を通常に使用する通常電力モードと、電力モードのうち、省電力モードが選択された時には、撮像後に、撮像手段への電源供給を停止させるとともに、前記表示手段に撮像後の確認画像を表示させる際、該画像を表示させる期間が通常電力モードに該画像を表示させる期間より長くなるように制御する構成とすることにより、撮像手段への電源供給の停止が長くなり、カメラの電源寿命が短くなる不具合を防止するとともに、電源供給停止期間に撮像した画像を観察できるために、撮像における操作性が良いデジタルカメラを提供することができる。
【発明を実施するための最良の形態】
【００１７】
図１（ａ）、図１（ｂ）は、本発明の実施形態に係るデジタルカメラ１の要部構成を模式的に示す外観図であり、図１（ａ）は平面図、図１（ｂ）は背面図である。
【００１８】
これらの図に示すように、デジタルカメラ１は、略直方体状のカメラ本体部１０とレンズ２０とに大別される構造である。
【００１９】
カメラ本体部１０の上面には図１（ａ）の破線で示すようにポップアップする内蔵フラッシュ手段３０、レリーズボタン８２及びモードダイアル８３が設けられている。レリーズボタン８２は、半押しすると設定された露出、合焦位置等がロックされ、全押しするとＣＣＤに露光が開始される。モードダイアル８３は、回転させて再生モードと撮像モードの切り換えと、撮像モードにおける露出条件などの露出モードの設定に用いられる。
【００２０】
一方、カメラ本体部１０の背面左側には、後述するライブビュー表示、アフタービュー表示及び記録画像の再生表示等を行なうための液晶ディスプレイ（ＬＣＤ）７３と電子ビューファインダ（ＥＶＦ）７４とが設けられている。ＬＣＤ７３はＥＶＦ７４よりその表示サイズが大きいものとなっている。ＥＶＦ７４はその表示素子が筐体の奥にあり、視認性が外光に左右されないような構成となっている。また、このＬＣＤ７３およびＥＶＦ７４では、カラーで画像表示が行われる。
【００２１】
また、カメラ本体部１０の背面右上側には、電池や充電池等を駆動源とする電源をカメラ本体部１０の各回路に供給を開始させるスイッチである電源ボタン８１とレンズ２０の焦点距離を変えるズームレバー８８が設けられている。
【００２２】
カメラ本体部１０の背面中央には、メニューボタン８４、電力モードスイッチ８５、十字キー８６及び決定ボタン８７が設けられている。メニューボタン８４は、撮像時のホワイトバランス調整、露出補正、フラッシュモード、再生時のヒストグラムなどを選択するためのメニューをＬＣＤ７３に表示させ、十字キー８６は選択したメニュー中のサブメニューの選択を行なわせ、決定ボタン８７は選択したサブメニューを設定させるのに用いられる。電力モードスイッチ８５は、電源の消耗を少なくする省電力モードと電源を通常に使用する通常電力モードとを選択するのに用いられる。
【００２３】
図２は、デジタルカメラ１の電気的構成を示すブロック図である。なお、図１（ａ）、図１（ｂ）と同一物には同一の符号を付している。
【００２４】
デジタルカメラ１は、レンズ２０、フラッシュ手段３０、撮像手段４０、信号処理手段５０、レンズ制御手段６０、表示手段７０、操作部８０、制御手段９０、電源９５などを備えている。
【００２５】
レンズ２０は、フォーカスレンズ、ズームレンズおよび透過光量を調節するための絞りを備えている。
【００２６】
撮像手段４０は、レンズ２０を通して入射する被写体光像を光電変換して画像信号として出力するもので、ＣＣＤ４３、タイミングジェネレータ４１、タイミング制御回路４２及びＤＣ／ＤＣコンバータ４４を備えている。
【００２７】
ＣＣＤ４３は、レンズ２０により結像された被写体光像を、Ｒ（赤）、Ｇ（緑）、Ｂ（青）の色成分の画像信号（各画素で受光された画素信号の信号列からなる信号）に光電変換して出力する。
【００２８】
タイミング制御回路４２は、制御手段９０内の基準クロックにより制御され、後述するタイミングジェネレータ、信号処理回路、Ａ／Ｄ変換回路に対する基準クロックを生成する。
【００２９】
タイミングジェネレータ４１は、タイミング制御回路４２から送信される基準クロックに基づきＣＣＤ４３の駆動制御信号を生成するものである。タイミングジェネレータ４１は、例えば積分開始／終了（露光開始／終了）のタイミング信号、各画素の受光信号の読出制御信号（水平同期信号，垂直同期信号，転送信号等）等のクロック信号を生成し、ＣＣＤ４３に出力する。
【００３０】
ＤＣ／ＤＣコンバータ４４は、電源からの直流電流を撮像手段４０に適する直流電流へ変換してタイミング制御回路４２、ＣＣＤ４３等に電源を供給する。
【００３１】
信号処理手段５０は、ＣＣＤ２６から送出される画像信号に所定のアナログ信号処理およびデジタル信号処理を施すもので、画像信号の信号処理はその画像信号を構成する各画素信号ごとに行われる。信号処理手段５０は、信号処理回路５１、Ａ／Ｄ変換回路５２、黒レベル補正回路５３、ホワイトバランス（ＷＢ）回路５４、γ補正回路５５及び画像メモリ５６を備えており、黒レベル補正回路５３、ＷＢ回路５４及びγ補正回路５５はデジタル信号処理を施す回路を構成する。
【００３２】
信号処理回路５１は、ＣＣＤ４３から出力される画像信号（アナログ信号）に所定のアナログ信号処理を施すものである。信号処理回路５１は、ＣＤＳ（相関二重サンプリング）回路とＡＧＣ（オートゲインコントロール）回路とを有し、ＣＤＳ回路が画像信号のノイズの低減を行ない、ＡＧＣ回路がゲインを調整することにより画像信号のレベル調整を行なう。
【００３３】
Ａ／Ｄ変換回路５２は、タイミング制御回路４２から入力されるＡ／Ｄ変換用のクロックに基づいて画像信号の各画素信号（アナログ信号）を１２ビットのデジタル信号に変換する。
【００３４】
黒レベル補正回路５３は、Ａ／Ｄ変換された画素信号の黒レベルを基準の黒レベルに補正するものである。また、ＷＢ（ホワイトバランス）回路５４は、Ｒ、Ｇ、Ｂの各色成分の画素データのレベル変換を行なうものである。ＷＢ回路５４は、制御手段９０から入力されるレベル変換テーブルを用いてＲ、Ｇ、Ｂの各色成分の画素データのレベルを変換する。γ補正回路５５は、画素データの階調を補正するものである。γ補正回路５５では、一般パーソナルコンピュータ用のモニタが有するγ特性に対応した補正が行なわれることとなる。
【００３５】
画像メモリ５６は、γ補正回路５５から出力される画素データを記憶するメモリである。画像メモリ５６は、１フレーム分の記憶容量を有している。すなわち、画像メモリ５６は、ＣＣＤ４３画素数に対応する、例えば１６００×１２００画素分の画素データの記憶容量を有し、各画素データが対応する画素位置に記憶されるようになっている。
【００３６】
表示手段７０は、液晶ディスプレイ（ＬＣＤ）７３と電子ビューファインダ（ＥＶＦ）７４を備えるとともに、ＶＲＡＭ７１、７２を備えている。
【００３７】
ＶＲＡＭ７１は、ＬＣＤ７３に表示される画像データのバッファメモリである。ＶＲＡＭ７１は、ＬＣＤ７３の画素数（４００×３００）に対応した画像データの記憶容量を有している。
【００３８】
ＶＲＡＭ７２は、ＥＶＦ７４に表示される画像データのバッファメモリである。ＶＲＡＭ７２は、ＥＶＦ７４の画素数（６４０×４８０）に対応した画像データの記憶容量を有している。
【００３９】
ＬＣＤ７３の表示については、撮像待機状態において、撮像手段４０により１／３０秒毎に撮像された画像の各画素データが信号処理回路５１からγ補正回路５５により所定の信号処理を施された後、画像メモリ５６に一時記憶されるとともに、制御手段９０を介してＶＲＡＭ７１に転送され、ＬＣＤ７３に表示される（ライブビュー表示）。
【００４０】
さらに、撮像直後においては、撮像した画像を確認するために、本撮像した画像データを基にＬＣＤ７３の画素数に対応した画像データが作成され、制御手段９０を介してＶＲＡＭ７１に転送され、ＬＣＤ７３に表示される（アフタービュー表示）。
【００４１】
あるいは、ライブビューの最後の画像、すなわち、レリーズボタン８２の全押し直前に画像メモリ５６に記憶された画像データが制御手段９０を介してＶＲＡＭ７１に転送され、ＬＣＤ７３に表示するようにしてもよい（アフタービュー表示）。
【００４２】
ＥＶＦ７４の表示については、撮像待機状態と撮像直後において、ＬＣＤ７３の表示の動作と同様に処理されて、ＶＲＡＭ７２に転送されＥＶＦ７４に表示される。
【００４３】
なお、ＬＣＤ７３やＥＶＦ７４に画像以外の情報（例えば日付や露出補正の値等）を表示する場合には、制御手段９０が先のＶＲＡＭ７１やＶＲＡＭ７２に、その情報を加えた画像データを上書きするものとなっている。
【００４４】
また、再生モードにおいては、メモリカード９４から読み出された画像が制御手段９０で所定の信号処理が施された後、ＶＲＡＭ７１に転送され、ＬＣＤ７３に再生表示される。ＥＶＦ７４でも同様の表示が行われる。
【００４５】
カードＩ／Ｆ９３は、メモリカード９４への画像データの書込み及び画像データの読出しを行なうためのインターフィースである。
【００４６】
レンズ制御手段６０は、フォーカスレンズ駆動用モータ６１、ズームレンズ駆動用モータ６２及び絞り制御ドライバ６３を備えている。
【００４７】
絞り制御ドライバ６３は、レンズ２０に内蔵される絞りの絞り値を制御するもので、制御手段９０から入力される絞り値に基づき絞りを駆動し、その開口量を絞り値に設定している。露出制御は、絞り制御ドライバ６３による絞りと、ＣＣＤ４３の露光量、すなわち、シャッタスピードに相当するＣＣＤ４３の電荷蓄積時間を調節して行なわれる。
【００４８】
フォーカスレンズ駆動用モータ６１は、制御手段９０から入力される焦点制御信号に基づいて駆動し、レンズ２０に内蔵されるフォーカスレンズを焦点位置に移動させる。
【００４９】
ズームレンズ駆動用モータ６２は、制御手段９０から入力されるズーム制御信号に基づいて駆動し、レンズ２０に内蔵されるズームレンズを移動させる。
【００５０】
操作部８０は、前述した電源ボタン８１、レリーズボタン８２、モードダイアル８３、電力モードスイッチ８５、ズームレバー８８などの各種スイッチ、ボタンなどで構成されている。
【００５１】
レリーズボタン８２は、半押し状態と押し込んだ全押し状態とが検出可能な２段階スイッチになっている。待機状態でレリーズボタン８２を半押し状態にすると、オートフォーカス（ＡＦ）の焦点位置と自動露出調整（ＡＥ）による露出値及びホワイトバランス調整（ＷＢ）によるホワイトバランス値がロックされ、全押し状態で被写体からの光がＣＣＤ４３に露光される。
【００５２】
フラッシュ手段３０は、キセノン管からなるフラッシュ３１とフラッシュ回路３２と被写体からのフラッシュ光の反射光を受光する調光センサ３３を備えている。調光センサ３３はレンズ２０を通過する反射光を受光する。
【００５３】
フラッシュ回路３２は、フラッシュ撮像におけるフラッシュ３１の発光量を制御手段９０により設定された所定量に制御するものである。
【００５４】
フラッシュ撮像においては、露出開始と同時に被写体からのフラッシュ光の反射光が調光センサ３３により受光され、この受光量が所定の発光量に達すると、制御手段９０から発光停止信号が出力され、この発光停止信号に応答してフラッシュ３１の発光を停止し、これによりフラッシュ３１の発光量が所定量に制御される。
【００５５】
制御手段９０は、ＣＰＵ（中央演算処理装置）などからなり、ＲＯＭ（リードオンリメモリ）９１及びＲＡＭ（ランダムアクセスメモリ）９２を含む。ＲＯＭ９１は、制御手段９０のＣＰＵの動作を制御する制御プログラムを記憶するものである。ＲＡＭ９２は、演算処理や制御処理などにおける種々のデータを一時的に格納するものである。また、制御手段９０は、カードＩ／Ｆ９３を介してメモリカード９４に接続されている。
【００５６】
そこで制御手段９０は、ＲＯＭ９１に格納された制御プログラムに従ってデジタルカメラ１の各部の動作を制御するもので、レリーズボタン８２が半押しされると、露出制御値の設定や焦点調節等の被写体を撮像するための準備動作を実行し、レリーズボタン８２が全押しされ、レリーズスイッチのオン信号が検出されると、ＣＣＤ４３を露光し、その露光によって得られた画像信号に所定の画像処理を施してメモリカード９４に記録する一連の撮像動作を実行する機能を有する。
【００５７】
さらに制御手段９０は、撮像手段４０のＤＣ／ＤＣコンバータ４４のオン・オフ制御やフラッシュ手段３０のフラッシュ回路３２への給電制御など電源９５の各部への電力供給を制御する。
【００５８】
図３は、制御手段９０内のＣＰＵやメモリの全体によって実現される内部機能を示すブロック図である。
【００５９】
制御手段９０は、撮像画像の表示及び記録処理を行なうために画像処理部９６を備えている。画像処理部９６は、ライブビュー表示などを行なう表示画像生成部９６ａと、サムネイル画像及び圧縮画像を生成する記録画像生成部９６ｂと、メモリカード９４に記録された画像をＬＣＤ７３やＥＶＦ７４に再生する画像を生成する再生画像生成部９６ｃを備えている。
【００６０】
表示画像生成部９６ａは、画像メモリ５６から入力される画像データを１／４間引きを行うことで、この画像データをＬＣＤ７３で表示可能な解像度に変換し、ＲＧＢ形式で横４００×縦３００画素からなる表示用画像をライブビュー画像として生成し、ＶＲＡＭ７１に送出し、あるいは１／２．５間引きを行なうことで、ＥＶＦ７４で表示可能な解像度に変換し、ＲＧＢ形式で横６４０×縦４８０画素からなる表示用画像をライブビュー画像として生成し、ＶＲＡＭ７２に送出する。
【００６１】
記録画像生成部９６ｂは、画像メモリ５６から画素データを読み出してメモリカード９４に記録すべきサムネイル画像と圧縮画像とを生成する。記録画像生成部９６ｂは、画像メモリ５６から横方向と縦方向の両方向でそれぞれ８画素毎に画素データを読み出し、順次、カードＩ／Ｆ９３に転送することで、サムネイル画像を生成しつつメモリカード９４に記録する。
【００６２】
再生画像生成部９６ｃは、メモリカード９４に記録された圧縮画像を所定の伸長処理を行ない、この画像データをＬＣＤ７３で表示可能な解像度に変換し、ＶＲＡＭ７１に送出し、あるいはＥＶＦ７４で表示可能な解像度に変換し、ＶＲＡＭ７２に送出する。
【００６３】
さらに図３に示すように、制御手段９０は、フラッシュの発光を制御するために、フラッシュ制御部９７を備えている。フラッシュ制御部９７は、フラッシュ電圧検知部９７ａ、充電制御部９７ｂ、フラッシュ発光制御部９７ｃ及び充電モード選択スイッチ９７ｄを備えている。フラッシュ制御部９７によるフラッシュ手段３０の制御について説明する。
【００６４】
フラッシュ手段３０は、フラッシュ３１と充電回路部３２ａと発光回路部３２ｂとコンデンサ３２ｃ及び調光センサ３３を備えている。
【００６５】
充電回路部３２ａは、図示しないスイッチング素子のオン・オフを繰り返して電源から流れる電流を制御して、コンデンサ３２ｃを充電させる。発光回路部３２ｂはコンデンサ３２ｃに充電した電荷をフラッシュ３１で放電するように制御する。調光センサ３３は露出開始と同時に被写体からのフラッシュ光の反射光を受光する。
【００６６】
フラッシュ制御部９７において、フラッシュ電圧検知部９７ａは、充電制御部９７ｂの充電開始信号を受けて、充電回路部３２ａにより充電されるコンデンサ３２ｃの充電電圧を監視し、充電制御部９７ｂに充電電圧信号を出力する。
【００６７】
充電制御部９７ｂは、充電開始信号を充電回路部３２ａとフラッシュ電圧検知部９７ａとに出力し、フラッシュ電圧検知部９７ａから充電電圧信号を受けて、充電回路部３２ａの充電が完了するように制御する。
【００６８】
フラッシュ発光制御部９７ｃは、調光センサ３３により受光される受光量が所定の発光量に達すると、発光停止信号を発光回路部３２ｂに出力して、発光回路部３２ｂがこの発光停止信号に応答してフラッシュ３１の発光を停止し、これによりフラッシュ３１の発光量を所定の発光量に制御する。
【００６９】
充電モード選択スイッチ９７ｄは、フラッシュの充電モードを選択するためのスイッチである。充電モードには、急速に充電する第１の充電モードとゆっくりと充電して電源電池の消耗を少なくする第２の充電モードとがある。
【００７０】
充電モードの制御を図４に示す。図４（ａ）は第１の充電モード、図４（ｂ）は第２の充電モードを示すタイミングチャートであり、横軸は時間であり、縦軸はスイッチング素子のオン・オフを示す。第１の充電モードと第２のモードの充電制御は、コンデンサ３２ｃを充電させる充電回路部３２ａのスイッチング素子のオン・オフを繰り返すデューティーが異なる。
【００７１】
第１の充電モードは、図４（ａ）に示すように、スイッチング素子のオンの時間を長くする相対的に高デューティーで充電回路部３２ａを制御する。高電流の制御となり充電時間を短くし、コンデンサ３２ｃの充電を速くすることができる。しかし、充電効率は低下し、電源電池の消耗が大きくなる。
【００７２】
第２の充電モードは、図４（ｂ）のように、スイッチング素子のオンの時間を短くする相対的に低デューティーで充電回路部３２ａを制御する。コンデンサ３２ｃを充電させ、低電流の制御となり消費電力を抑えることができる。すなわち、電源からの電流が小さく、充電効率がよくなり、電源電池の消耗を少なくし、節電することができる。
【００７３】
図５はデジタルカメラ１の撮像モード時の制御を示すフローチャートであり、デジタルカメラ１の第１の実施形態について説明する。なお、特に断らない限り、以降に説明する制御は制御手段９０により行われる。
【００７４】
デジタルカメラ１に設けられた電源ボタン８１が操作されて、電源がオンになると（ステップＳ１０１）、フラッシュ手段３０、撮像手段４０、表示手段７０、制御手段９０などの各部に電源が供給される。
【００７５】
次に、操作部８０の設定状況を判定し、電力モードスイッチ８５のオン・オフをチェックし、ステップＳ１０２において電力モードスイッチ８５がオンであれば、省電力モードが設定されている場合であり、ステップＳ１０３に進み、省電力モードに設定し、ステップＳ１０２において電力モードスイッチ８５がオフであれば、省電力モードの設定を行なわずに、通常電力モードとして、次のステップに進む。
【００７６】
ステップＳ１０４では、電源が撮像手段４０のＤＣ／ＤＣコンバータ４４から撮像素子であるＣＣＤ４３に供給され、ステップＳ１０５では、ＣＣＤ４３が１／３０秒毎に取り込んだ画像の各画素データを信号処理回路５１からγ補正回路５５により信号処理を行ない、画像データを画像メモリ５６に一時記憶させ、画像メモリ５６に記憶させた画像データの信号をＶＲＡＭ７１に転送させ、ＬＣＤ７３にライブビュー画像を表示させる。
【００７７】
そして、ステップＳ１０６では、レリーズボタン８２が押されずオンでない場合には、ＬＣＤ７３にライブビュー画像を表示させ、レリーズボタン８２が押されオンである場合には、ステップＳ１０７において、まずレリーズボタン８２の半押し状態でオートフォーカス（ＡＦ）の焦点位置と自動露出調整（ＡＥ）による露出値及びホワイトバランス調整（ＷＢ）によるホワイトバランス値を設定し、全押し状態で被写体からの光がＣＣＤ４３に露光され、撮像された画素データを画像処理して画像メモリ５６に一時記憶する。
【００７８】
次に、ステップＳ１０８では、ＣＣＤ４３の積分終了のタイミング信号に基づいて、撮像手段４０のＤＣ／ＤＣコンバータ４４に動作停止の信号を出力して、ＣＣＤ４３の駆動をオフさせ、ステップＳ１０９では、画像メモリ５６に記憶した画素データを表示可能なサイズに変換してＶＲＡＭ７１に転送し、ＬＣＤ７３にアフタービュー画像を表示させる。また、画像メモリ５６から画素データを読み出してサムネイル画像と圧縮画像とを生成し、メモリカード９４に記録させる。
【００７９】
ステップＳ１１０では、省電力モードの設定状況をチェックして、省電力モードが設定されていない場合（通常電力モード）にはステップＳ１１１に進み、省電力モードが設定されている場合（省電力モード）にはステップＳ１１５に進む。
【００８０】
通常電力モードでは、ステップＳ１１１でアフタービュー表示を行なう時間ＴをＴａと設定し、ステップＳ１１２でタイマー動作を開始して、タイマーが時間Ｔとなるまでアフタービュー画像をＬＣＤ７３に表示させつづけ（ステップＳ１１３、Ｓ１１４のＮｏ）、タイマーが時間Ｔになるとアフタービュー表示を停止させる（ステップ１１４のＹｅｓ）。
【００８１】
省電力モードでは、ステップＳ１１５で、アフタービュー表示を行なう時間ＴをＴａより長い時間であるＴｂと設定し、ステップＳ１１６でタイマー動作を開始して、タイマーが時間Ｔとなるまでアフタービュー画像をＬＣＤ７３に表示させつづけ（ステップＳ１１７、Ｓ１１８のＮｏ）、タイマーが時間Ｔになるとアフタービュー表示を停止させる（ステップ１１８のＹｅｓ）。
【００８２】
次に、ステップＳ１１９では、電源ボタン８１が操作されて撮像を終了させるのかどうかをチェックして、撮像を終了しない場合には、ステップＳ１０２に戻り、撮像を終了する場合には、撮像の手順を終了する。
【００８３】
図６は、これまで説明した撮像時の処理手順におけるＣＣＤ４３とＬＣＤ７３の動作を示すタイミングチャートである。図６において、Ｔ１乃至Ｔ５′は時点を示し、また、上段から順に、「レリーズ釦」はレリーズボタン８２の全押しにより発生する信号を示し、次の「露光（キャプチャ）」はレンズ２０からの被写体光がＣＣＤ４３に露光されている状態、「ＣＣＤ駆動」は電源がＣＣＤ４３に供給されて駆動している状態、「ライブビュー表示」はＬＣＤ７３に表示されるライブビュー画像の状態、「アフタービュー表示」はＬＣＤ７３に表示されるアフタービュー画像の状態をそれぞれ示し、ＯＮで動作状態、ＯＦＦで停止状態である。「ＣＣＤ駆動」、「ライブビュー表示」、「アフタービュー表示」の実線は通常電力モードにおける状態を示し、それらの破線は省電力モードにおける状態を示す。
【００８４】
電源ボタン８１が押されると、ＣＣＤ４３が駆動状態にあり（「ＣＣＤ駆動」がＯＮ状態）、制御手段９０は、ＣＣＤ４３から１／３０秒毎に取り込んだ画素データの信号処理を行ない画像データにして、画像データを順次画像メモリ５６に一時記憶させ、ＬＣＤ７３にライブビュー画像を表示している（「ライブビュー表示」がＯＮ状態）。
【００８５】
ここで、レリーズボタン８２が全押しされると、レリーズ信号が制御手段９０に入力され（Ｔ１からＴ２）、制御手段９０は、そのレリーズ信号により、タイミングジェネレータ４１が積分開始のタイミング信号をＣＣＤ４３に出力し、ＣＣＤ４３の積分が開始され、被写体からの光量に応じた露光期間（Ｔ２からＴ３）になると、タイミングジェネレータ４１がＣＣＤ４３に積分終了のタイミング信号を出力して、ＣＣＤ４３の露光を終了させる（「露光（キャプチャ）」がＯＮ状態）。
【００８６】
次に、制御手段９０は、タイミングジェネレータ４１が積分終了のタイミング信号を生成して所定時間経過すると（Ｔ４）、ＤＣ／ＤＣコンバータ４４に動作停止のタイミング信号を出力して、ＣＣＤ４３の駆動をオフさせるとともに（「ＣＣＤ駆動」のＯＦＦ状態）、画像メモリ５６に記憶させた画像データをＬＣＤ７３にアフタービュー画像として時点Ｔ５まで表示させる（「アフタービュー表示」のＯＮ状態）。アフタービュー画像の表示期間Ｔ４からＴ５は、通常電力モードのアフタービュー画像の表示を行なう時間である。省電力モードにおいては、ＣＣＤ４３の駆動をオフさせる期間を通常電力モードより長く設定して、また、アフタービュー表示させる期間を通常電力モードより長く設定して、アフタービュー画像の表示期間をＴ４からＴ５′にしている。
【００８７】
なお、画像をＬＣＤ７３に表示させるとともにＥＶＦ７４に表示させても良いし、また、画像をＬＣＤ７３に表示させる替わりに、ＥＶＦ７４に表示させても良い。
【００８８】
以上説明したように、省電力モードが選択された時には、撮像後、撮像手段４０のＣＣＤ４３への電源の供給を停止させ、ＬＣＤ７３にＣＣＤ４３への電源の供給を停止させる直前の画像を通常電力モードに表示させる期間より長くなるように制御する構成にしたため、ＣＣＤ４３の駆動にともなう消費電力が削減されて、電源電池の寿命が短くなることが防止され、撮像可能枚数が増えるとともに、ＬＣＤ７３にはＣＣＤ４３が停止する直前の画像が表示され、撮像した画像をＬＣＤ７３で確認できるので操作性が良い。
【００８９】
図７は、デジタルカメラ１の撮像モード時の制御を示す第２実施形態のフローチャートであり、フラッシュ充電中における画像表示を示すものである。なお、以降に説明する制御の処理手順は第１実施形態の図１乃至図３に示す構成の各部が制御手段９０により制御される。
【００９０】
デジタルカメラ１に設けられた電源ボタン８１が操作されて、電源ボタン８１がオンになると（ステップＳ２０１）、フラッシュ手段３０、撮像手段４０、表示手段７０、制御手段９０などの各部に電源が供給され、ステップＳ２０２では撮像枚数Ｎを０に設定する。
【００９１】
次に、ステップＳ２０３では、撮像枚数Ｎをチェックするが、ここでは撮像枚数Ｎ＝０であるので、ステップＳ２０４に進み、電源が撮像手段４０のＤＣ／ＤＣコンバータ４４から撮像素子であるＣＣＤ４３に供給され、ステップＳ２０５では、ＣＣＤ４３が１／３０秒毎に取り込んだ画像の各画素データを信号処理回路５１からγ補正回路５５により信号処理を行ない、画像データを画像メモリ５６に一時記憶させ、画像メモリ５６に記憶させた画像データの信号をＶＲＡＭ７１に転送させ、ＬＣＤ７３にライブビュー画像を表示させる。
【００９２】
ＬＣＤ７３にライブビュー画像を表示させながら、ステップＳ２０６では、充電開始信号をフラッシュ手段３０に出力し、フラッシュ手段３０のコンデンサの充電を開始させ、ステップＳ２０７では、フラッシュ回路３２の充電電圧を監視しながら、コンデンサの充電を継続させ、充電電圧信号をフラッシュ回路３２に出力して、所定の充電量になるとコンデンサの充電を終了させる。
【００９３】
そして、ステップＳ２０８では、レリーズボタン８２が押されるまで待機状態にあり、レリーズボタン８２が押されオンである場合には、ステップＳ２０９では、まずレリーズボタン８２の半押し状態でオートフォーカス（ＡＦ）の焦点位置と自動露出調整（ＡＥ）による露出値及びホワイトバランス調整（ＷＢ）によるホワイトバランス値を設定し、全押し状態で、ＣＣＤ４３の露光を開始させた後フラッシュ３１を発光させ、フラッシュ光の反射光が調光センサ３３により受光され、所定の発光量に達するとフラッシュ３１の発光を停止させて、ＣＣＤ４３の露光を終了する。
【００９４】
次に、ステップＳ２１０では、ＣＣＤ４３の積分終了のタイミング信号に基づいて、撮像手段４０のＤＣ／ＤＣコンバータ４４に動作停止の信号を出力して、ＣＣＤ４３の駆動をオフさせ、ステップＳ２１１では、レリーズボタン８２の全押し後に撮像した画像データの信号を表示用のサイズに変換してＶＲＡＭ７１に転送し、ＬＣＤ７３にアフタービュー画像を表示させ、画像メモリ５６から画素データを読み出してサムネイル画像と圧縮画像とを生成し、メモリカード９４に記録させる。
【００９５】
一連の撮像が終了すると、ステップＳ２１２では撮像枚数Ｎを（Ｎ＋１）に設定し、電源ボタン８１がオフであると撮像処理手順を終了し（ステップＳ２１３のＹｅｓ）、電源がオフで無い場合には（ステップＳ２１３のＮｏ）、ステップＳ２０３に戻り、撮像枚数Ｎをチェックする。ここでは、撮像枚数Ｎ＝０でないのでステップＳ２１４に進み、継続してＬＣＤ７３にアフタービュー画像を表示させながら、ステップＳ２１５では、フラッシュ手段３０のコンデンサの充電を開始させ、ステップＳ２１６では、フラッシュ回路３２の充電電圧を監視して、コンデンサの充電を継続させ、所定の充電量になるとコンデンサの充電を終了させる。
【００９６】
ステップＳ２１７では、充電を終了させる充電電圧信号に基づいて、撮像手段４０のＤＣ／ＤＣコンバータ４４に動作開始の信号を出力して、ＣＣＤ４３の駆動をオンさせ、ステップＳ２１８では、ＣＣＤ４３が１／３０秒毎に取り込んだ画像の各画素データを信号処理して、画像メモリ５６に記憶した画像データの信号を順次ＶＲＡＭ７１に転送させＬＣＤ７３にライブビュー画像を表示させる。以降の手順において、ステップＳ２０８からのステップを繰り返し、同様に２枚目の撮像処理手順を行なう。
【００９７】
以上説明したように、フラッシュ手段３０が充電されている時には、撮像手段４０のＣＣＤ４３への電源の供給を停止させ、ＣＣＤ４３に電源の供給を停止させる直前の画像をＬＣＤ７３である表示手段７０に表示させるよう構成したため、ＣＣＤ４３の駆動中にフラッシュ充電を行なうことによる大きな電力を消費させるということがなく、電源電池の寿命が短くなることが防止され、撮像可能枚数が増えるとともに、ＬＣＤ７３には画像が表示され、フラッシュ充電中に確認できるので操作性が良い。
【００９８】
図８は、デジタルカメラ１の撮像モード時の制御を示す第３実施形態のフローチャートであり、フラッシュ充電モードを選択可能として、充電モードにおける画像表示を示すものである。なお、以降に説明する制御の処理手順は第１実施形態の図１乃至図３に示す構成の各部が制御手段９０により制御される。
【００９９】
デジタルカメラ１に設けられた電源ボタン８１が操作されて、電源ボタン８１がオンになると（ステップＳ３０１）、フラッシュ手段３０、撮像手段４０、表示手段７０、制御手段９０などの各部に電源が供給される。
【０１００】
次に、ステップＳ３０２では、モードダイアル８３や電力モードスイッチ８５などの設定状況をチェックし、電力モードスイッチ８５がオンであれば、省電力モードを設定し、電力モードスイッチ８５がオフであれば、通常電力モードの設定を行なう。
【０１０１】
ステップＳ３０３では、電源が撮像手段４０のＤＣ／ＤＣコンバータ４４からＣＣＤ４３に供給され、ステップＳ３０４では、ＣＣＤ４３が１／３０秒毎に取り込んだ画像の各画素データを信号処理回路５１からγ補正回路５５により信号処理を行ない、画像データを画像メモリ５６に一時記憶させ、画像メモリ５６に記憶させた画像データの信号をＶＲＡＭ７１に転送させ、ＬＣＤ７３にライブビュー画像を表示させる。
【０１０２】
そして、ステップＳ３０５でレリーズボタン８２が押されオンになると、ステップＳ３０６において、まずレリーズボタン８２の半押し状態でオートフォーカス（ＡＦ）の焦点位置と自動露出調整（ＡＥ）による露出値及びホワイトバランス調整（ＷＢ）によるホワイトバランス値を設定し、全押し状態で被写体からの光がＣＣＤ４３に露光され、撮像される。
【０１０３】
次に、ステップＳ３０７では、ＣＣＤ４３の積分終了のタイミング信号に基づいて、撮像手段４０のＤＣ／ＤＣコンバータ４４に動作停止の信号を出力して、ＣＣＤ４３の駆動をオフさせ、ステップＳ３０８では、レリーズボタン８２の全押し直前に画像メモリ５６に記憶した画像データの信号を表示用のサイズに変換してＶＲＡＭ７１に転送し、ＬＣＤ７３にアフタービュー画像を表示させ、レリーズボタン８２の全押し後に画像メモリ５６に記憶した本撮像の画素データを読み出してサムネイル画像と圧縮画像とを生成し、メモリカード９４に記録させる。
【０１０４】
次に、ステップＳ３０９では、フラッシュの充電が必要か否かをチェックして、先の撮像でフラッシュを発光させていないなら、ステップＳ３１９に進み、フラッシュを発光させた場合には、ステップＳ３１０で省電力モードの設定の有無をチェックする。ステップＳ３１０で省電力モードでない場合には、ステップＳ３１１、ステップＳ３１２に進み、継続してＣＣＤ４３の駆動をオフさせ、ＬＣＤ７３にアフタービュー画像を表示させる。
【０１０５】
次に、ステップＳ３１３では、省電力モードを設定していないので、図３に示すフラッシュ制御部９７の充電モード選択スイッチ９７ｄをオフに設定し、フラッシュ制御部９７が通常充電となりコンデンサ３２ｃを充電させる。通常充電では、図４（ａ）に示すように、スイッチング素子のオンの時間を長くする相対的に高デューティーで充電制御して、コンデンサ３２ｃの充電を速くさせる。図８に戻り、ステップＳ３１４で充電が終了するとステップＳ３１９に進む。
【０１０６】
一方、ステップＳ３１０で省電力モードである場合には、ステップＳ３１５、ステップＳ３１６では、継続してＣＣＤ４３の駆動をオフさせ、ＬＣＤ７３にアフタービュー画像を表示させて、ステップＳ３１７では、省電力モードを設定しているので、図３に示すフラッシュ制御部９７の充電モード選択スイッチ９７ｄをオンに設定し、フラッシュ制御部９７が省電力充電となりコンデンサ３２ｃを充電させる。省電力充電では、図４（ｂ）に示すように、スイッチング素子のオンの時間を短くする相対的に低デューティーで充電制御して、コンデンサ３２ｃを充電させ、消費電力を抑える。図８に戻り、ステップＳ３１８で充電が終了するとステップＳ３１９に進む。
【０１０７】
次に、ステップＳ３１９では、充電を始める充電開始信号の生成から所定時間経過すると、撮像手段４０のＤＣ／ＤＣコンバータ４４に動作開始の信号を出力して、ＣＣＤ４３の駆動をオンさせる。なお、充電開始信号の生成からＣＣＤ４３の駆動オンまでの所定時間については後述する。ステップＳ３２０では、ＣＣＤ４３が１／３０秒毎に取り込んだ画像の各画素データを信号処理して、画像メモリ５６に記憶させた画像データの信号を順次ＶＲＡＭ７１に転送して、ＬＣＤ７３にライブビュー画像を表示させ、ステップＳ３２１では、電源がオフで無い場合には、ステップＳ３０５に戻り、電源がオフであると撮像処理手順を終了する。
【０１０８】
図９は、これまで説明した第３実施形態の撮像の手順におけるＣＣＤ４３、ＬＣＤ７３及びフラッシュ充電の動作を示すタイミングチャートである。図９において、Ｔ１乃至Ｔ６′は時点を示し、また、上段から順に、「レリーズ釦」はレリーズボタン８２の全押しにより発生する信号を示し、次の「露光（キャプチャ）」はレンズ２０からの被写体光がＣＣＤ４３に露光されている状態、「ＣＣＤ駆動」は電源がＣＣＤ４３に供給されて駆動している状態、「ライブビュー表示」はＬＣＤ７３に表示されるライブビュー画像の状態、「アフタービュー表示」はＬＣＤ７３に表示されるアフタービュー画像の状態、「フラッシュ充電」はフラッシュ回路３２のコンデンサの充電状態をそれぞれ示し、ＯＮで動作状態、ＯＦＦで停止状態である。「ＣＣＤ駆動」、「ライブビュー表示」、「アフタービュー表示」、「フラッシュ充電」の実線は通常充電モードにおける状態を示し、それらの破線は省電力充電モードにおける状態を示す。
【０１０９】
電源ボタン８１が押されると、ＣＣＤ４３が駆動状態にあり（「ＣＣＤ駆動」がＯＮ状態）、制御手段９０は、ＣＣＤ４３から１／３０秒毎に取り込んだ画素データの信号処理を行ない画像データにして、画像データを順次画像メモリ５６に一時記憶させ、ＬＣＤ７３にライブビュー画像を表示している（「ライブビュー表示」がＯＮ状態）。
【０１１０】
ここで、レリーズボタン８２が全押しされると、レリーズ信号が制御手段９０に入力され（Ｔ１からＴ２）、制御手段９０は、そのレリーズ信号により、タイミングジェネレータ４１が積分開始のタイミング信号をＣＣＤ４３に出力し、ＣＣＤ４３の積分が開始され、被写体からの光量に応じた露光期間（Ｔ２からＴ３）になると、タイミングジェネレータ４１がＣＣＤ４３に積分終了のタイミング信号を出力して、ＣＣＤ４３の露光を終了させる（「露光（キャプチャ）」がＯＮ状態）。
【０１１１】
次に、制御手段９０は、タイミングジェネレータ４１が積分終了のタイミング信号を生成して所定時間経過すると（Ｔ４）、ＤＣ／ＤＣコンバータ４４に動作停止のタイミング信号を出力して、ＣＣＤ４３の駆動をオフさせるとともに（「ＣＣＤ駆動」のＯＦＦ状態）、レリーズボタン８２の全押し直前に画像メモリ５６に記憶させた画像データをＬＣＤ７３にアフタービュー画像として表示させる（「アフタービュー表示」のＯＮ状態）。また、時点Ｔ４では、制御手段９０は、フラッシュの充電開始信号を生成し、充電開始信号に基づいてコンデンサの充電が開始させる（「フラッシュ充電」のＯＮ状態）。
【０１１２】
通常充電モードでは、充電が時点Ｔ５で終了するが、以前に撮像した露光状態に応じてフラッシュの発光量が異なり、時点Ｔ５の位置が変化するが、アフタービュー画像の表示期間（Ｔ４からＴ６）が最大のフラッシュ充電期間（Ｔ４からＴ５）より長く設定されている。省電力充電モードにおいて、通常充電モードのアフタービュー画像の表示より長くアフタービュー画像を表示させ、かつ通常充電モードと同様に、アフタービュー画像の表示期間（Ｔ４からＴ６′）が最大のフラッシュ充電期間（Ｔ４からＴ５′）より長く設定されている。
【０１１３】
なお、フラッシュ充電中にアフタービュー画像を表示させ、その後、フラッシュ充電開始信号の生成から所定時間後にライブビュー画像に切り換えているが、これに替えて、ＣＣＤ４３の積分終了のタイミング信号を基点にして所定時間後にライブビュー画像に切り換えても良い。
【０１１４】
また、充電モードの切り換えは、使用者の電力モードスイッチ８５の操作に応じて、制御手段９０が通常充電モードと省電力充電モードを選択的に設定しているが、充電モード切換スイッチをデジタルカメラ１に設けて、使用者が充電モードを切り換えるようにしても良い。
【０１１５】
また、省電力モードでない場合には、ＬＣＤ７３に表示させる画像はライブビュー画像でも良い。
【０１１６】
以上説明したように、フラッシュ手段３０が充電されている時には、撮像手段４０のＣＣＤ４３への電源の供給を停止させ、ＣＣＤ４３に電源の供給を停止させる直前の画像をＬＣＤ７３である表示手段７０に表示させるよう構成したため、ＣＣＤ４３の駆動中にフラッシュ充電を行なうことによる大きな電力を消費させるということがなく、電源電池の寿命が短くなることが防止され、撮像可能枚数が増えるとともに、ＬＣＤ７３には撮像した画像が表示され、フラッシュ充電中に確認ができるので操作性が良い。また、省電力充電モードである第２の充電モードでは、一層消費電力を削減することができる。
【０１１７】
また、アフタービュー画像をＬＣＤ４３に表示させる期間がフラッシュ手段の充電期間より長くなるように制御する構成であるために、消費電力が削減されるともに、撮像後の画像を確実に視認することができ、操作性が良い。
【図面の簡単な説明】
【０１１８】
【図１】本発明のデジタルカメラの外観を示す側面図（ａ）および背面図（ｂ）。
【図２】本発明のデジタルカメラの電気的構成を示すブロック図。
【図３】本発明のデジタルカメラの制御手段の内部機能を示すブロック図。
【図４】本発明のデジタルカメラのフラッシュ充電制御のタイミングチャート。
【図５】本発明のデジタルカメラの第１実施形態の撮像処理手順を示すフローチャート。
【図６】本発明のデジタルカメラの第１実施形態の撮像処理手順を示すタイミングチャート。
【図７】本発明のデジタルカメラの第２実施形態の撮像処理手順を示すフローチャート。
【図８】本発明のデジタルカメラの第３実施形態の撮像処理手順を示すフローチャート。
【図９】本発明のデジタルカメラの第３実施形態の撮像処理手順を示すタイミングチャート。
【符号の説明】
【０１１９】
１  デジタルカメラ
１０  カメラ本体部
２０  レンズ
３０  フラッシュ手段
３１  フラッシュ
３２  フラッシュ回路
３３  調光センサ
４０  撮像手段
４１  タイミングジェネレータ
４２  タイミング制御回路
４３  ＣＣＤ
５０  信号処理手段
５１  信号処理回路
５２  Ａ／Ｄ変換回路
５３  黒レベル補正回路
５４  ＷＢ回路
５５  γ補正回路
５６  画像メモリ
６０  レンズ制御手段
６１  フォーカスモータ
６２  ズームモータ
６３  絞り制御ドライバ
７０  表示手段
７１、７２  ＶＲＡＭ
７３  ＬＣＤ
７４  ＥＶＦ
８０  操作部
８１  電源ボタン
８２  レリーズボタン
８３  モードダイアル
８４  メニューボタン
８５  電力モードスイッチ
８６  十字キー
８７  決定ボタン
８８  ズームレバー
９０  制御手段
９１  ＲＯＭ
９２  ＲＡＭ
９３  カードＩ／Ｆ
９４  メモリカード
９５  電源
９６  画像処理部
９７  フラッシュ制御部
【図１】
2007208886.tif 000003
【図２】
2007208886.tif 000004
【図３】
2007208886.tif 000005
【図４】
2007208886.tif 000006
【図５】
2007208886.tif 000007
【図６】
2007208886.tif 000008
【図７】
2007208886.tif 000009
【図８】
2007208886.tif 000010
【図９】
2007208886.tif 000011